【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
シートを収納するシート収納部に設けられ、積載されたシートを支持するためのシート積載装置において、
ベース部材と、
両端部が上下に移動するように揺動中心を中心に前記ベース部材に揺動可能に支持され、シートが積載されるシート積載手段と、
前記シート積載手段を揺動角度が小さくなるように付勢する付勢手段と、を有する、
ことを特徴とするシート積載装置。
【請求項２】
前記付勢手段は、前記ベース部材の前記揺動中心を挟んだ両側の部分の少なくとも一方の部分と前記シート積載手段との間に配置される、
ことを特徴とする請求項１に記載のシート積載装置。
【請求項３】
前記付勢手段は、前記シート積載手段の前記揺動中心を挟んで両側に配設されたバネを有しており、前記バネは前記シート積載手段が揺動しない際に弾性力が略等しくなるように構成されている、
ことを特徴とする請求項２に記載のシート積載装置。
【請求項４】
前記ベース部材は、前記揺動中心の延伸方向における第１端部側が、前記延伸方向における前記第１端部とは反対の第２端部側よりも高くなるように傾斜して構成される、
ことを特徴とする請求項１乃至３のいずれか１項に記載のシート積載装置。
【請求項５】
前記シート積載手段は、前記揺動中心の延伸方向における前記ベース部材の第１端部側に設けられた第１シート積載部材と、前記延伸方向における前記ベース部材の前記第１端部とは反対側の第２端部側に設けられた第２シート積載部材と、を有し、
前記第１シート積載部材及び前記第２シート積載部材のそれぞれは、前記揺動中心を中心として揺動可能に構成されている、
ことを特徴とする請求項１乃至３のいずれか１項に記載のシート積載装置。
【請求項６】
前記ベース部材は、前記揺動中心の前記延伸方向における前記第１端部側が前記第２端部側よりも高くなるように傾斜して構成されている、
ことを特徴とする請求項５に記載のシート積載装置。
【請求項７】
請求項１乃至６のいずれか１項に記載のシート積載装置と、
シートを収納するシート収納部本体と、前記シート収納部本体に昇降可能に設けられると共に前記シート積載装置のベース部材が載置される支持部と、を有するシート収納部と、
前記支持部の上方に設けられ、前記シート積載手段に積載されたシートのうちの最上位シートと当接してシートを給送するシート給送手段と、を備え、
前記揺動中心の延伸方向は、前記シート給送手段のシート給送方向である、
ことを特徴とするシート給送装置。
【請求項８】
前記ベース部材は、前記シート給送方向における下流側である第１端部側が前記シート給送方向における上流側である第２端部側よりも高くなるように傾斜して構成されている、
ことを特徴とする請求項７に記載のシート給送装置。
【請求項９】
前記シート積載装置は、前記支持部に対して着脱自在に構成されている、
ことを特徴とする請求項７又は８に記載のシート給送装置。
【請求項１０】
前記シート積載手段に積載されているシートの前記揺動中心の前記延伸方向と直交する幅方向の位置を規制するサイド規制部材を備える、
ことを特徴とする請求項７乃至９のいずれか１項に記載のシート給送装置。
【請求項１１】
シートを収納するシート収納部本体及び前記シート収納部本体に昇降可能に設けられ、シートを支持する支持部を有するシート収納部と、
前記シート収納部の上方に設けられ、上昇した前記支持部に積載されたシートのうちの最上位シートと当接してシートを給送するシート給送手段と、
前記支持部の上面に設けられるベース部材と、
前記ベース部材の上面に、シート給送方向と直交する幅方向の両端部が上下方向に揺動可能に支持され、シートが積載される揺動部材と、
前記揺動部材を付勢して、前記揺動部材の前記両端部を略同一の高さに保持する付勢手段と、を有する、
ことを特徴とするシート給送装置。
【請求項１２】
前記揺動部材は、前記ベース部材における前記幅方向の中央に設けられ前記シート給送方向に沿って配置される揺動軸に取り付けられている、
ことを特徴とする請求項１１に記載のシート給送装置。
【請求項１３】
前記付勢手段は、前記揺動軸の両側の少なくとも一方で、前記ベース部材と前記揺動部材との間に配置された圧縮バネである、
ことを特徴とする請求項１２に記載のシート給送装置。
【請求項１４】
前記揺動部材を、前記ベース部材に前記シート給送方向に並んで複数設けた、
ことを特徴とする請求項１１乃至１３のいずれか１項に記載のシート給送装置。
【請求項１５】
前記ベース部材の上面を前記シート給送方向における下流側が高くなるように傾斜させた、
ことを特徴とする請求項１１乃至１４のいずれか１項に記載のシート給送装置。
【請求項１６】
前記ベース部材を前記支持部の上面に着脱自在に設けた、
ことを特徴とする請求項１１乃至１５のいずれか１項に記載のシート給送装置。
【請求項１７】
請求項７乃至１６のいずれか１項に記載のシート給送装置と、
前記シート給送装置により給送されたシートに画像を形成する画像形成部と、を備える、
ことを特徴とする画像形成装置。
【手続補正２】
【補正対象書類名】明細書
【補正対象項目名】発明の名称
【補正方法】変更
【補正の内容】
【発明の名称】シート積載装置、シート給送装置及び画像形成装置
【手続補正３】
【補正対象書類名】明細書
【補正対象項目名】０００１
【補正方法】変更
【補正の内容】
【０００１】
本発明は、シート積載装置、シート給送装置及び画像形成装置に関し、封筒等の厚さが不均一のシートを給送するための構成に関する。
【手続補正４】
【補正対象書類名】明細書
【補正対象項目名】００１５
【補正方法】変更
【補正の内容】
【００１５】
本発明は、シート積載装置において、シートを収納するシート収納部に設けられ、積載されたシートを支持するためのシート積載装置において、ベース部材と、両端部が上下に移動するように揺動中心を中心に前記ベース部材に揺動可能に支持され、シートが積載されるシート積載手段と、前記シート積載手段を揺動角度が小さくなるように付勢する付勢手段と、を有する、ことを特徴とするものである。
また、本発明は、シート給送装置において、シートを収納するシート収納部本体及び前記シート収納部本体に昇降可能に設けられ、シートを支持する支持部を有するシート収納部と、前記シート収納部の上方に設けられ、上昇した前記支持部に積載されたシートのうちの最上位シートと当接してシートを給送するシート給送手段と、前記支持部の上面に設けられるベース部材と、前記ベース部材の上面に、シート給送方向と直交する幅方向の両端部が上下方向に揺動可能に支持され、シートが積載される揺動部材と、前記揺動部材を付勢して、前記揺動部材の前記両端部を略同一の高さに保持する付勢手段と、を有する、ことを特徴とするものである。
【手続補正５】
【補正対象書類名】明細書
【補正対象項目名】００２５
【補正方法】変更
【補正の内容】
【００２５】
シート給送装置２３０は、カセット２３３と、カセット２３３に収納されたシートＰを送り出すピックアップローラ２３１を備えている。シート収納部であるペーパーデッキ１０１は、多数枚のシートＰを積載収納する収納庫７と、収納庫７に収納されたシートを給送するシート給送装置１０２を備えている。このシート収納部本体である収納庫７は筐体６に対して引き出し可能に設けられると共に、シートを積載して昇降可能なリフタートレイ８を備えている。なお、リフタートレイ８は不図示のワイヤー等で吊り下げられ、モータ駆動に連結したワイヤープーリの巻き回転駆動により上下動作制御可能となっている。
【手続補正６】
【補正対象書類名】明細書
【補正対象項目名】００４２
【補正方法】変更
【補正の内容】
【００４２】
ここで、封筒Ｐを積載した際、図５に示すように、既述したベース部材１５の傾斜により、封筒Ｐはシート給送方向上流側に移動しようとするが、矢印２０で示すシート給送方向に沿ってスライド可能な後端規制部材１４により封筒Ｐの移動が規制される。なお、図５において、７１は収納庫７のシート給送方向下流側に設けられ、収納庫７に収納された封筒Ｐのシート給送方向下流側への移動を規制する前壁部である。